(57)【要約】【課題】容器を栓止状態で空気等の気体を該容器内に供給可能で、これにより該容器内の栄養剤、薬剤等の内服液体を自然重力により経腸的、あるいは経口的に人体に供給できる機能を奏し、さらにはこのような機能を種々の異なるサイズの注入器に対して１個で栓止可能な栓部材の提供。【解決手段】容器内に挿入、保持可能な盤状部材、該盤状部材に隣接して存在し、容器開口部を容器外で閉鎖する盤状部材、および前記盤状部材間を接合する立脚壁を有して構成されるとともに、前記立脚壁は前記盤状部材面に立設して形成された複数個の筋状リブに接合して構成され、かつ前記盤状部材は容器に保持された状態で容器内に気体を導入可能なものとして構成された容器開口部の栓止構造を有することを特徴とする容器の栓部材【選択図】図１
2005211405.tif 000002
【特許請求の範囲】
【請求項１】
複数枚の盤状部材と該盤状部材間を接合する立脚壁を少なくとも有して構成される容器の栓部材であって、前記盤状部材は栓をした状態で容器内に空気の導入が可能なように空気通過用の切り込み部と筋状リブが形成され、また、容器の径に合わせて栓止めができるように各径が異なるものであることを特徴とする容器の栓部材。
【請求項２】
前記立脚壁は前記盤状部材面に立設して形成された複数個の筋状リブに接合して構成されたことを特徴とする請求項１に記載の栓部材。
【請求項３】
前記容器が薬剤または栄養剤を人体に経口あるいは経腸的に供給する注入器である請求項１または２に記載の栓部材。
【請求項４】
前記各盤状部材が円盤形状で、最も面積の大きい盤状部材が掴み部を構成するものであることを特徴とする請求項１〜３のいずれかに記載の栓部材。
【請求項５】
前記掴み部の両側面に少なくとも一個の前記栓止構造が形成されたことを特徴とする請求項４に記載の栓部材。
【請求項６】
前記盤状部材すべてがその外周縁部に１〜８個の切り込み部を有することを特徴とする請求項１〜５のいずれかに記載の栓部材。
【請求項７】
前記盤状部材が挿入、保持される容器がアンダーカット部を形成した注射器の外筒であって、該盤状部材を前記外筒の後端の開口部に挿入し該外筒に保持した場合に、該保持された盤状部材の切り込み部の先端位置が前記アンダーカット部の表面部より外筒の中心側に位置し、前記外筒の後端の開口部より導入される空気が前記切り込み部を通過して外筒内に導通可能なものであることを特徴とする請求項１〜６のいずれかに記載の栓部材。
【請求項８】
前記外筒に保持された盤状部材が、前記アンダーカット部に係止可能なものであることを特徴とする請求項７に記載の栓部材。
【請求項９】
前記立脚壁が接合した側の盤状部材の直径を前記立脚壁の直径より大きいものとすることにより段差部が形成され、かつ該段差部により盤状部材が前記アンダーカット部に係止可能なものであることを特徴とする請求項７または８に記載の栓部材。
【請求項１０】
前記筋状リブと該筋状リブから立脚する立脚壁が、盤状部材に対して十字形状に形成されたものであることを特徴とする請求項１〜９のいずれかに記載の栓部材。
【請求項１１】
前記十字形状の中心部にアール部を形成したものであることを特徴とする請求項１０に記載の栓部材。
【請求項１２】
前記盤状部材の外周部の形状が容器挿入側から反対側に向って順次に拡径して得られた滑らかな拡径面を形成したものであることを特徴とする請求項７〜１１のいずれかに記載の栓部材。
【請求項１３】
容器内に挿入された前記盤状部材および立脚壁の外筒軸方向の長さが、前記外筒に形成された容量目印に到達しない大きさであることを特徴とする請求項７〜１２のいずれかに記載の栓部材。
【請求項１４】
容器内に挿入、保持可能な盤状部材、該盤状部材に隣接して存在し、容器開口部を容器外で閉鎖する盤状部材、および前記盤状部材間を接合する立脚壁を有して構成され、前記盤状部材が容器に保持された状態で容器内に気体を導入可能なものとして、前記立脚壁及び盤状部材の周面又は前記立脚壁及び盤状部材の内部に空気導入部を有することを特徴とする容器の栓部材。
【発明の詳細な説明】
【技術分野】
【０００１】
本発明は、容器に栓止状態で気体、例えば空気を導入可能な栓部材に関する。特に薬剤あるいは栄養剤が収納された容器、例えば経腸あるいは経口栄養供給システムに使用する栄養剤、薬剤等等が収納された状態の注入器内に、該注入器を栓止した状態で空気等の気体を供給可能で、該気体を利用して前記注入器内の薬剤あるいは栄養剤を自然重力により落下させ人体に供給することが栓部材に関するものである。
【背景技術】
【０００２】
従来、経腸経管栄養法は、流動性栄養物を柔軟な細いチューブを介して経鼻胃腸的に、あるいは胃瘻又は空腸瘻等から投与する栄養補給法であり、経静脈的に投与する輸液の場合と類似の点滴用器具類及び装置が用いられている。すなわち、スタンドに吊り下げられた軟質バッグ等の容器に設けられた栄養物流出口と患者に施された経胃経腸栄養カテーテルとを接続する栄養点滴セット、および栄養点滴セットの側ラインから、胃腸薬等の薬剤や、新生児においてはミルクをショット注入するための注入器等で構成されるシステムが用いられている。このシステムで用いる注入器として外筒、押子（吸子）、およびガスケットから構成される注射筒が使用される。該注射筒としては、注射以外に使用するものとして、あらかじめ注射用のものとは区別して構成されたものを利用する場合と注射用のものを使用することがある。
【０００３】
また、前記人体に薬剤および/または薬剤等の内服液を経腸経管栄養法により供給する場合、供給器としては前記注射筒から押子（吸子）およびガスケットを取り外し、自然重力により前記内服液を落下させ、該内服液を人体に供給されることがある。この場合に、例えば前記注射筒の後端部の開口部から栄養剤、薬剤等の内服液を注ぎ込んだ後、外筒、栄養剤等の汚染、あるいは異物等の混入等を防止するために、ガーゼ、布等で前記開口部を封止する作業が通常行われている。しかし、このような封止作業には手間がかかるし、さらに封止作業を行うに際しての栄養剤等の汚染、あるいは異物等の混入等を防ぐための細心の注意が必要という問題があった。また、ガーゼ、布等で封止する代わりに、外筒の後端部の開口部を完全に封止する栓部材を装着することも考えられるが、この場合には外筒内の栄養剤、薬剤等を人体内に送り込むための手段が必要となり、栓部材の構造が複雑となり、かつ高価なものとなる。
【発明の開示】
【発明が解決しようとする課題】
【０００４】
解決しようとする課題は、ガーゼ、布等で前記のような封止作業を行う代わりに、容器を栓止状態で空気等の気体を該容器内に供給可能で、これにより該容器内の栄養剤、薬剤等の内服液体を自然重力により経腸的、あるいは経口的に人体に供給できる機能を奏し、さらにはこのような機能を種々の異なるサイズの多くの注入器に対して１個で栓止可能な栓部材を提供することにより、前記のような従来技術の問題点を解決することにある。
ただし、本発明の解決しようとする課題は、前記のような注射筒を容器として使用して人体に栄養剤、薬剤等を供給する場合に限らず、容器を栓止状態でその内部に気体を供給できる他の容器に使用可能な栓部材栓部材の提供にもある。
【課題を解決するための手段】
【０００５】
本発明は、複数枚の盤状部と該盤状部間を接合する立脚壁を少なくとも有して構成される容器の栓部材であって、前記盤状部は栓をした状態で容器内に空気の導入が可能なように空気通過用の切り込み部と筋状リブが形成され、また、容器の径に合わせて栓止めができるように各径が異なるものであることを特徴とする栓止構造を有する容器の栓部材を提供することにより前記技術課題を解決することができた。
【０００６】
本発明の栓部材は、具体的には例えば図１および８に示すように容器内に挿入、保持可能で切り込み部４，４１，４２を有する複数の盤状部材１，３，６，７、および該盤状部材間を接合する立脚壁５１，５２，５３を有し、該立脚壁は前記盤状部材面に立設して形成された筋状リブ２，２１に接合して構成される。ただし、本発明の栓部材は、前記図１および８に示すような構造のものに限定されるものではなく、栓止状態で前記立脚壁間および盤状部材に外部から容器内に空気を導入可能な空気通路を形成したものであればよい。
【０００７】
本発明の栓部材の栓止状態での容器内への導入は、以下のようにして行われる。
本発明の栓部材は例えば図８に示すように、容器内に挿入され容器のアンダーカット部１２に係止して保持された盤状部材３と該盤状部材３に隣接する盤状部材１で容器開口部を閉鎖するが、前記の立脚壁５は前記盤状部材１上に形成された前記筋状リブを介して立脚しているため、容器盤状部材１の容器側の面１５と容器の後端面１４との間に前記リブの立設高さに相当する空気が流通可能な小間隙が形成されるので、この小間隙から空気Ａが容器内に導入され、該容器内に導入された空気Ａは容器内に保持された盤状部材３に形成された切り込み部を通過して薬剤、栄養剤が充填されている容器部に到達し、前記薬剤、栄養剤の自然重力を利用した人体への供給に利用される。
特に本発明の栓部材においては、空気を横から通気させる機構であるので、栓部材上部からの落下菌、異物の混入を最小限に抑える事が可能であり、容器内の栄養剤、薬剤等への汚染防止に非常に効果がある。
【０００８】
本発明の盤状部材の形状は、例えば前記図８に示すように注射器外筒の後端部の開口部を栓止する場合には円盤形状であるが、他の形状の容器開口部を栓止できるように、前記複数個の盤状部材の一部、あるいは全部が円盤形状以外の形状であってもよい。また、前記栓部材は種々の大きさが異なる開口部の多くの容器の栓止を１個の栓部材で可能なように、前記複数個の盤状部材はそれぞれ面積の大きさが異なるものが好ましい。
【０００９】
前記複数個の盤状部材は、そのなかで最も面積の大きい盤状部材（盤状部材１）は指により把持し易い面積のものとしたものが好ましい。以下、この最も面積の大きい盤状部材を掴み部ともいう。そして、前記最も面積の大きい盤状部材に少なくとも一個の前記栓止構造を形成すること、特に前記掴み部を構成する盤状部材の両面に少なくとも一個の前記栓止構造を形成することにより、数多くの栓止構造を１個の栓部材に容易に形成することが出来るとともに、前記掴み部としての機能を利用して栓止操作をより容易に行うことができる。また、前記盤状部材は該部材を通って容器内に気体を導入できることが必要であり、そのために、例えば該盤状部材の外周縁部に好ましくは１〜８個、さらに好ましくは２〜４個の切り込み部が形成される。前記切り込み部の数が多すぎると異物が混入し易くなり、また、少なすぎると薬剤の固着による穴の閉塞により通気性を失い易くなる。
【００１０】
本発明の栓部材が好適に使用される容器としては、前記のように経口・経腸栄養ラインに使用される注射筒があり、該注射筒としては、注射以外に使用するものとして、あらかじめ注射用のものとは区別して構成されたものを利用する場合と注射用のものを例えば注射器の外筒を利用する場合が挙げられる。また、前記注射筒には通常、容量目印の他に後端部分にアンダーカット部が形成されており、本発明の栓部材は、その盤状部材を前記注射筒外筒の後端の開口部から挿入した場合、該盤状部材は前記アンダーカット部に係止され外筒に保持される構造のものが好ましい。このような盤状部材のアンダーカット部への係止は、例えば前記立脚壁が接合した側の盤状部材の直径を前記立脚壁の直径より大きいものとすることにより段差部を形成し（例えば図１の図番号１１）、該段差部１１を利用して例えば図８に示すようにアンダーカット部１２と係止して行うものが挙げられる。また、前記アンダーカット部を設けた注射筒外筒への栓止部材の挿入は、盤状部材の外周部の形状を容器挿入側から反対側に向って順次に拡径して得られた滑らかな拡径面を形成したもの（例えば図１の図番号１３）とすることにより、容器内への挿入を円滑に行うことができる。さらに、前記盤状部材を前記アンダーカット部に係止させる場合に、該盤状部材の切り込み部の先端位置が前記アンダーカット部の表面部より外筒の中心側に位置するように構成することにより、前記外筒の後端の開口部より導入される空気は前記切り込み部を通過して外筒内に導通可能とすることができる。
なお、前記のような盤状部材の保持は、前記のようなアンダーカット部に係止されるものに限定されるものではなく、図７に示すように挿入される盤状部材を容器と嵌合、好ましくは強嵌合させることによっても行うことができる。
【００１１】
前記栓部材の筋状リブは、上述のように容器開口部側面とその開口部を容器外から閉鎖する盤状部材の容器側面との間に前記開口部より容器内に空気等の気体を容器内に導入することが可能な小間隙部を形成するが、このリブの高さは前記小間隙を空気は通過させるが、外部より異物等が小間隙を通過して容器内に混入するのを防止する大きさの間隙部を形成するものが好ましい。
【００１２】
また、前記筋状リブの形状は、前記のような目的を達成できる間隙を形成できるものであれば特に限定されないが、前記筋状リブと該筋状リブに接合してそれより立脚する立脚壁の形状は、図４〜６に示すように該筋状リブが立設する盤状部材に対して十字形状に形成されたものが、強度を維持しつつ肉薄にできる事から成形が容易であり特に好ましい。また、本発明の栓部材の各部、とくに前記筋状リブと該筋状リブに接合してそれより立脚する立脚壁の形状、たとえば前記十字形状の中心部は角部ではなくアール部を形成したものが、リブの角部への薬液の溜りが少なく不潔になり難いのでより好ましい。
【００１３】
本発明の栓部材においては、前記立脚壁の高さは前記盤状部材を前記アンダーカット部に係止可能なように、アンダーカット部の外筒軸方向の長さより大きく構成されることが好ましいが、特にアンダーカット部の内径より0.1〜１ｍｍ大きい高さが好ましい。また、蓋を垂直に引き抜くときの強度は1ｋｇｆ〜8ｋｇｆであることが、使用後取り外し易いこと、及び使用中 落下しても外れにくいことから好ましい。さらに、本発明の栓部材においては、容器内に挿入された前記盤状部材および立脚壁が、容器に表示された容量目印を読みにくくすることを避けるために、容器内に挿入された前記盤状部材および立脚壁の外筒軸方向の長さが、前記外筒に形成された容量目印に到達しない大きさであることが好ましい。
【発明の効果】
【００１４】
本発明の栓部材は、例えば経腸経管栄養法おいて、胃腸薬等の流動性薬剤や、流動性栄養物例えば新生児にミルクを自然重力により注入するための注入器の栓部材として好適である。本発明の栓部材を使用することにより、前記注入器の開口部を簡単に栓止でき、かつ該栓止操作を実施する際の流動性薬剤、あるいは流動性栄養物を汚染することが無く、さらには１個の栓部材で異なる開口部口径を有する前記注入器の開口部の栓止を行うことができる、という利点がある。
【発明を実施するための最良の形態】
【００１５】
経腸剤投与栄養システムの注入器への栓部材としての使用。
【実施例１】
【００１６】
栄養剤を入れる容器（ＪＭＳ社製；ＪＭＳＥＤボトル：ＪＭＳ経口用イルリガートル：ＪＭＳ経口用イルリガートルボトル式）、栄養点滴セット（ＪＭＳ社製；ＪＭＳ栄養点滴セット：）、接続チューブ（ＪＭＳ社製；ＪＭＳ栄養点滴セットＥＮ延長チューブ：ＪＭＳ栄養点滴セット ＥＮ Ｙジョイント）、鼻腔より挿入するカテーテル（ＪＭＳ社製；ＪＭＳ栄養カテーテル:ＪＭＳＥＤチューブ：）および注射筒型（シリンジ）の薬剤あるいは栄養剤の注入器（ＪＭＳ社製；ＪＭＳ注入器：）よりなる経腸剤投与栄養システム（ＪＭＳ社製；ＪＭＳ経口・栄養ライン 誤接続防止システム：）の前記注射筒型（シリンジ）の注入器を図８に示すようにその後端開口部側を上方に垂直に位置させ垂直に保持させ、前記注入器中に薬剤あるいは栄養剤を供給させた後に、本発明の栓部材を接合させた。この接合状態で、前記注入器中の薬剤あるいは栄養剤は、より導入され、切り込み部を通過して供給された空気によって自然落下するが、この落下操作中において前記注入器中の薬剤あるいは栄養剤の汚染、あるいは混入等を完全に防止することができた。
【産業上の利用可能性】
【００１７】
本発明は、容器に栓止状態で気体、例えば空気を導入可能な栓部材、特に薬剤あるいは栄養剤が収納された容器、例えば経腸あるいは経口栄養供給システムに使用する栄養剤、薬剤等等が収納された状態の注入器内に、該注入器を栓止した状態で空気等の気体を供給可能で、該気体を利用して前記注入器内の薬剤あるいは栄養剤を自然重力により落下させ人体に供給することが栓部材に関するものである。
【図面の簡単な説明】
【００１８】
【図１】本発明の栓部材の正面図である。
【図２】本発明の栓部材の平面図である。
【図３】本発明の栓部材の底面図である。
【図４】本発明の栓部材のＡ−Ａ’線断面図である。
【図５】本発明の栓部材のＢ−Ｂ’線断面図である。
【図６】本発明の栓部材のＣ−Ｃ’線断面図である。
【図７】本発明の栓部材と注射筒型注入器の外筒との接合（嵌合）を説明した図である。
【図８】本発明の栓部材の使用状態を説明した図である。
【符号の説明】
【００１９】
１    盤状部材（盤状部材中、最も大面積）
２    筋状リブ
２１  筋状リブ
２２  筋状リブ
３    盤状部材
４    切り込み部（空気通過部）
５    立脚壁
５１  立脚壁
５２  立脚壁
６    盤状部材
７    盤状部材
８    注射筒型注入器の外筒
９    薬剤あるいは栄養剤
１０  カテーテルチューブ
１１  段差部
１２  アンダーカット部
１３  滑らかな外縁面
１４  注射筒型注入器の外筒の後端面
１５  注射筒型注入器側の盤状部材面
Ａ    空気流
【図１】
2005211405.tif 000003
【図２】
2005211405.tif 000004
【図３】
2005211405.tif 000005
【図４】
2005211405.tif 000006
【図５】
2005211405.tif 000007
【図６】
2005211405.tif 000008
【図７】
2005211405.tif 000009
【図８】
2005211405.tif 000010